(57)【特許請求の範囲】
【請求項１】
ヒートポンプユニット(１)と、
上記ヒートポンプユニット(１)で加熱された温水を貯える貯湯タンク(２)と、
上記貯湯タンク(２)内に配置され、給湯水が内部を流れる熱交換器(３)と、
上記貯湯タンク(２)内に貯められた温水を上記貯湯タンク(２)外の暖房端末(８)を経由させた後、再び、上記貯湯タンク(２)内に戻して循環させるための循環回路(４)と
を備え、
上記熱交換器(３)は、上記貯湯タンク(２)内の下部領域から上部領域に渡って配置され、かつ、上記貯湯タンク(２)内の一方の側部領域から他方の側部領域に渡るように設けられていて、
上記給湯水が、上記貯湯タンク(２)内の下部領域の上記熱交換器(３)の部分に比較的低温の状態で入って、上記貯湯タンク(２)内の下部領域から上部領域までの温水と順に熱交換して比較的高温の状態になって、上記貯湯タンク(２)内の上部領域の上記熱交換器(３)の部分から出るように構成されており、
上記貯湯タンク(２)の上部に、上記貯湯タンク(２)内に貯められた温水を取り出すための第１取水口(４２)が設けられる一方、上記貯湯タンク(２)の下部に、上記暖房端末(８)から出た温水を上記貯湯タンク(２)内の下部領域に戻すための戻し口(４３)が設けられ、
上記循環回路(４)は、上記第１取水口(４２)と上記戻し口(４３)とに接続されており、
上記貯湯タンク(２)の下部に、上記貯湯タンク(２)内の下部領域に貯められた温水を上記ヒートポンプユニット(１)に供給するための供給口(５３)が設けられていることを特徴とする暖房給湯装置。
【請求項２】
請求項１に記載の暖房給湯装置において、
上記貯湯タンク(２)内の上下方向の略中央部にはヒータ(６)が配置されていることを特徴とする暖房給湯装置。
【請求項３】
請求項２に記載の暖房給湯装置において、
上記貯湯タンク(２)の上下方向の略中央部に、上記貯湯タンク(２)内に貯められた温水を取り出すための第２取水口(４１)が、上記ヒータ(６)近傍かつ上方に位置するように設けられ、
上記循環回路(４)は上記第２取水口(４１)に接続されていることを特徴とする暖房給湯装置。
【請求項４】
請求項１から３までのいずれか一項に記載の暖房給湯装置において、
上記ヒートポンプユニット(１)で使用される冷媒はＣＯ２冷媒であることを特徴とする暖房給湯装置。
【発明の詳細な説明】
【技術分野】
【０００１】
本発明は、暖房および給湯に使用される暖房給湯装置に関する。
【背景技術】
【０００２】
従来、暖房給湯装置としては、特開２００４−２３２９１４号公報（特許文献１）に開示されたものがある。この暖房給湯装置は、ヒートポンプと、このヒートポンプで加熱された温水を貯える貯湯タンクと、この貯湯タンク内の上部領域のみに配置された熱交換器と、この熱交換器に接続された暖房機とを備えている。
【０００３】
上記貯湯タンクは出湯管を介して蛇口に接続されている。この蛇口を開くことにより、貯湯タンクに貯えた温水を蛇口から取り出すことができる。
【０００４】
上記暖房機は貯湯タンクに貯えた温水を利用して暖房運転を行う。より詳しくは、上記暖房運転が開始されると、熱交換器内の熱媒は貯湯タンク内の温水によって加熱される。この加熱された熱媒は、暖房機に送られて暖房機から室内に熱を放出する。
【０００５】
ところが、上記従来の暖房給湯装置は、深夜電力を用いた給湯器の付加的機能として暖房運転を行うため、暖房運転時、室内に放出すべき熱を貯湯タンク内の温水から熱交換器を介して取り出しているので、その熱を取り出す効率は悪くなっている。すなわち、上記貯湯タンク内の温水の熱を効率良く暖房機に供給することができない。
【０００６】
したがって、上記従来の暖房給湯装置は、冬場２４時間暖房運転して、例えば暖房負荷：給湯負荷が１０：１となるような例えば北欧等の暖房負荷の高い地域では十分な暖房を行うことができないという問題がある。
【特許文献１】特開２００４−２３２９１４号公報
【発明の開示】
【発明が解決しようとする課題】
【０００７】
そこで、本発明の課題は、例えば北欧等の暖房負荷の高い地域でも十分な暖房を行うことができる暖房給湯装置を提供することにある。
【課題を解決するための手段】
【０００８】
上記課題を解決するため、本発明の暖房給湯装置は、
ヒートポンプユニットと、
上記ヒートポンプユニットで加熱された温水を貯える貯湯タンクと、
上記貯湯タンク内に配置され、給湯水が内部を流れる熱交換器と、
上記貯湯タンク内に貯められた温水を上記貯湯タンク外の暖房端末を経由させた後、再び、上記貯湯タンク内に戻して循環させるための循環回路と
を備え、
上記熱交換器は、上記貯湯タンク内の下部領域から上部領域に渡って配置され、かつ、上記貯湯タンク内の一方の側部領域から他方の側部領域に渡るように設けられていて、
上記給湯水が、上記貯湯タンク内の下部領域の上記熱交換器の部分に比較的低温の状態で入って、上記貯湯タンク内の下部領域から上部領域までの温水と順に熱交換して比較的高温の状態になって、上記貯湯タンク内の上部領域の上記熱交換器の部分から出るように構成されており、
上記貯湯タンクの上部に、上記貯湯タンク内に貯められた温水を取り出すための第１取水口が設けられる一方、上記貯湯タンクの下部に、上記暖房端末から出た温水を上記貯湯タンク内の下部領域に戻すための戻し口が設けられ、
上記循環回路は、上記第１取水口と上記戻し口とに接続されており、
上記貯湯タンクの下部に、上記貯湯タンク内の下部領域に貯められた温水を上記ヒートポンプユニットに供給するための供給口が設けられていることを特徴としている。
【０００９】
上記構成の暖房給湯装置によれば、暖房運転を開始すると、貯湯タンクに貯えた温水が循環経路を介して暖房端末へ流れ、再び、貯湯タンクに戻る。これにより、上記温水の熱は暖房端末を介して室内に放出される。すなわち、上記暖房端末は、貯湯タンク内の温水の熱を直接取り出し、室内に放出する。
【００１０】
したがって、上記貯湯タンク内の温水の熱を暖房端末に効率良く供給できるので、例えば北欧等の暖房負荷の高い地域でも十分な暖房を行うことができる。
【００１１】
従来においては、貯湯タンク内の熱交換器を介して熱を取り出して、暖房端末に供給していたから、効率が悪くて、十分な暖房を行うことができなかった。
【００１２】
【００１３】
また、本発明の暖房給湯装置によれば、上記熱交換器は貯湯タンク内の下部領域から上部領域に渡って配置されていて、給湯水が貯湯タンクの下部に入って貯湯タンクの上部から出るので、給湯水は熱交換器内を流れる間に貯湯タンク内の温水で十分に加熱される。したがって、上記熱交換器から高温の給湯水を出湯できる。また、熱交換器の下側から流入した温度の低い給湯水は、貯湯タンク内の下側の比較的低温の温水域で熱交換され、給湯用熱交換器の上側に向かって流れるに従って貯湯タンク内の上側の高温の温水域で熱交換されて、高温の給湯水となって出湯される。このように、上記貯湯タンク内の温度勾配に従って給湯水が下から上に向かって熱交換により加熱されながら流れるので、貯湯タンク内の温度分布が乱れることがなく、高い熱交換効率が得られる。したがって、給湯用熱交換器の熱交換効率を向上でき、高温の給湯水を供給できる。また、上記貯湯タンク内の上下方向に温度勾配が保たれ、貯湯タンク内の下側の低温水をヒートポンプユニットで加熱することにより、ヒートポンプユニットのＣＯＰ(成績係数)を向上できる。
【００１４】
【００１５】
また、本発明の暖房給湯装置によれば、上記第１取水口は、貯湯タンクの上部に設けられているので、貯湯タンク内の上部領域にある比較的高温の温水を取り出して暖房端末に送ることができる。したがって、上記比較的高温の温水で暖房を行うことができる。
【００１６】
また、上記戻し口は、貯湯タンクの下部に設けられているので、暖房端末で比較的低温になった温水を貯湯タンク内の下部領域に戻すことができる。したがって、上記貯湯タンク内の上部領域の比較的高温の温水が、暖房端末で比較的低温になった温水と混ざって低温になるのを防ぐことできる。
【００１７】
【００１８】
また、本発明の暖房給湯装置によれば、上記暖房端末から出た温水を貯湯タンクに戻すための戻し口が貯湯タンクの貯湯タンクの下部にあることと、貯湯タンク内に貯められた温水をヒートポンプユニットに供給するための供給口が貯湯タンクの下部にあることとが相俟って、ヒートポンプユニットには常に比較的低温の温水が供給されるため、ヒートポンプユニットのＣＯＰ（成績係数）が向上する。特に、上記ヒートポンプユニットの冷媒がＣＯ２冷媒であると、ＣＯＰが向上する。
【００１９】
一実施形態の暖房給湯装置では、
上記貯湯タンク内の上下方向の略中央部にはヒータが配置されている。
【００２０】
上記実施形態の暖房給湯装置によれば、上記貯湯タンク内にヒータを配置しているので、ヒートポンプユニットの故障時に、貯湯タンク内の温水の温度を、ヒータで保ったり、上げたりすることができる。
【００２１】
また、上記ヒートポンプユニットが温水に与える熱量が不足している時、貯湯タンク内にヒータがあるので、ヒータがその不足分の熱量を温水に供給することができる。
【００２２】
また、上記ヒータは貯湯タンク内の上下方向の略中央部に配置されているので、主として、ヒータよりも上方にある、貯湯タンク内の上部領域の温水を加熱することになる。このとき、上記貯湯タンク内の上部領域の温水は、元々、貯湯タンク内の下部領域の温水に比べて高温だから、ヒータの加熱によって短時間でさらに高温となる。
【００２３】
したがって、暖房負荷が瞬間的に増大しても、上記貯湯タンク内の上部領域でさらに高温となった温水を暖房端末に即座に送ることができる。
【００２４】
一実施形態の暖房給湯装置では、
上記貯湯タンクの上下方向の略中央部に、上記貯湯タンク内に貯められた温水を取り出すための第２取水口が、上記ヒータ近傍かつ上方に位置するように設けられ、
上記循環回路は上記第２取水口に接続されている。
【００２５】
上記実施形態の暖房給湯装置によれば、暖房運転時、暖房負荷が瞬間的に増大すると、貯湯タンク内の温水をヒータで高温にし、この高温の温水を循環回路の第２取水口から取り出して暖房端末に送る。このとき、上記第２取水口は、貯湯タンクの上下方向の略中央部に設けられて、ヒータ近傍かつ上方に位置しているので、ヒータで加熱した直後の温水を取り出して暖房端末に送ることができる。
【００２６】
したがって、暖房負荷が瞬間的に増大しても、暖房負荷の瞬間的な増大に迅速かつ確実に対応することができる。
【００２７】
一実施形態の暖房給湯装置では、
上記ヒートポンプユニットで使用される冷媒はＣＯ２冷媒である。
【００２８】
上記実施形態の暖房給湯装置によれば、上記ヒートポンプユニットは、冷媒としてＣＯ２冷媒を使用するので、高温出湯できる。
【発明の効果】
【００２９】
本発明の暖房給湯装置によれば、貯湯タンクに貯えた温水を循環経路を介して暖房端末に送ることによって、その温水の熱を熱交換器を経由しないで暖房端末に効率良く供給できるので、例えば北欧等の冬場２４時間暖房運転するような暖房負荷の高い地域で十分な暖房を行うことができる。
【発明を実施するための最良の形態】
【００３０】
以下、本発明の暖房給湯装置を図示の実施の形態により詳細に説明する。
【００３１】
図１は、本発明の一実施の形態の暖房給湯装置の構成を示す模式図である。
【００３２】
上記暖房給湯装置は、ヒートポンプユニット１、貯湯タンク２、給湯用熱交換器３および暖房用循環回路４を備えている。なお、上記給湯用熱交換器３は熱交換器の一例であり、暖房用循環回路４は循環回路の一例である。
【００３３】
上記ヒートポンプユニット１は冷媒回路１６および電動送風機１７を備え、貯湯タンク２内の水を沸き上げて温水にする。
【００３４】
上記冷媒回路１６は、蒸発器１１、圧縮機１２、凝縮器（水冷媒熱交換器）１３、過冷却熱交換器１４および膨張弁１５を有している。この冷媒回路１６ではＣＯ２冷媒が循環する。
【００３５】
上記ＣＯ２冷媒は、蒸発器１１において、電動送風機１７から送られた空気中の熱を吸収してガス化する。そして、上記ＣＯ２冷媒は、圧縮機１２で圧縮されて高温となった後、凝縮器１３に到達して熱を放出する。これにより、上記ＣＯ２冷媒は、凝縮器１３に入る前に比べて低温となって、過冷却熱交換器１４へ向かって流れる。そして、上記ＣＯ２冷媒は、その過冷却熱交換器１４でさらに冷却された後、膨張弁１５を経て、蒸発器１１に戻る。
【００３６】
また、上記ヒートポンプユニット１は、沸き上げ用循環回路５を介して貯湯タンク２と接続されている。
【００３７】
上記沸き上げ用循環回路５には、沸き上げ用循環ポンプ５１および沸き上げ用三方弁５２が設けられている。そして、上記沸き上げ用循環回路５は、第２暖房往き接続口４２と、沸き上げ用の供給口５３と、凍結防止水戻し接続口５４とに接続されている。なお、上記第２暖房往き接続口４２は第１取水口の一例である。
【００３８】
上記供給口５３は貯湯タンク２の下部に設けられている。これにより、上記貯湯タンク２内の下部領域にある比較的低温の温水を、供給口５３を介して沸き上げ用循環ポンプ５１に供給することができる。
【００３９】
上記沸き上げ用循環ポンプ５１は、貯湯タンク２内の下部領域にある比較的低温の温水を吸い込み、この吸い込んだ比較的低温の温水を凝縮器１３へ向けて吐出する。
【００４０】
上記凝縮器１３ではＣＯ２冷媒と温水とが熱交換されて、その温水が高温になる。この凝縮器１３を出た高温の温水は沸き上げ用三方弁５２へ向かう。
【００４１】
上記沸き上げ用三方弁５２は、給湯運転中および暖房運転中、凝縮器１３からの高温の温水を、第２暖房往き接続口４２を介して貯湯タンク２内の上部領域に流す。したがって、第２暖房往き接続口４２は、貯湯タンク２の供給口５３から流出してヒートポンプユニット１の凝縮器１３を出た後の温水が戻る沸き上げ戻り接続口となっている。貯湯タンク２内の温水は、上側に高温の温水、下側に比較的低温の温水が位置するように湯層（温度分布）が形成されている。なお、ヒートポンプユニット１の起動時などの際に、まだヒートポンプユニット１の凝縮器１３から出る温水が十分に高温となっていない場合、該温水は第２暖房往き接続口４２ではなく、凍結防止水戻し接続口５４を介して貯湯タンク２に戻されるように三方弁５２が制御される。したがって、凍結防止水戻し接続口５４は、温水が十分に高温でない場合の第２の沸き上げ戻り接続口となっている。このように、温水の温度により戻り口を切り替えるのは、十分に高温になっていない温水を貯湯タンク２の上部に戻すと貯湯タンク２内の温度分布が乱れる可能性があり、これを防止するためである。この三方弁の切り替えは凝縮器１３と三方弁５２との間に設けられた温度センサ（図示せず）の出力に基づいて行われる。また、上記沸き上げ用三方弁５２は、凍結防止運転中には、供給口５３から沸き上げ用循環回路５を介して流れてきた温水を、凍結防止水戻し接続口５４を介して貯湯タンク２内の下部領域に流す。なお、上記凍結防止運転は沸き上げ運転の停止中に行われる。
【００４２】
上記貯湯タンク２はヒートポンプユニット１で加熱された温水を貯える。また、上記貯湯タンク２内の上下方向の略中央部にはヒータ６を配置していて、このヒータ６は貯湯タンク２内の温水を直接加熱する。また、図示しないが、上記貯湯タンク２内の各部の温水の温度を検出するため、複数の温度センサを貯湯タンク２に設けている。この複数の温度センサは、貯湯タンク２内の各部の温水の温度を検出し、その温度を示す信号を制御部７に送る。
【００４３】
上記貯湯タンク２内の下部領域の温水の温度を示す信号は、圧縮機１２および沸き上げ用循環ポンプ５１のＯＮ／ＯＦＦ制御に使用される。つまり、上記制御部７は、貯湯タンク２内の下部領域の温水の温度に基づいて、圧縮機１２および沸き上げ用循環ポンプ５１のＯＮ／ＯＦＦ制御する。
【００４４】
上記給湯用熱交換器３は、図２に示すように、コイル状のパイプから成って、貯湯タンク２内の下部領域から上部領域に渡って配置されている。給湯水は給湯用熱交換器３内を流れることによって加熱される。より詳しくは、上記給湯水は、貯湯タンク２の下部から貯湯タンク２内に入って、貯湯タンク２内の下部領域に配置された給湯用熱交換器３を上方に向かって流れる。そして、上記給湯水は、貯湯タンク２内の上部領域に配置された給湯用熱交換器３を上方に向かって流れた後、貯湯タンク２の上部から貯湯タンク２外に出る。なお、貯湯タンク２内の上下方向の中央部にはヒータ６が配置されており、給湯用熱交換器３は該ヒータ６を跨ぐように配置されている（上部コイル部３ａ、下部コイル部３ｂ）。このヒータ６により、貯湯タンク２の上部により高温の温水を貯湯することができる。
【００４５】
また、給湯水の温度を設定温度に調整するために、給湯用混合弁３１を開いて、貯湯タンク２から出た給湯水と、貯湯タンク２に流入する前の給湯水とを混ぜ合わせる。これにより、上記貯湯タンク２から出た給湯水の温度を下げることができる。
【００４６】
上記暖房用循環回路４は、貯湯タンク２内に貯められた温水を貯湯タンク２外の複数のラジエタ８を経由させた後、再び、貯湯タンク２内に戻して循環させるためのものである。そして、上記暖房用循環回路４は、第１，第２暖房往き接続口４１，４２と暖房戻り接続口４３とに接続されている。なお、上記第１暖房往き接続口４１は第２取水口の一例であり、暖房戻り接続口４３は戻し口の一例である。
【００４７】
上記第１暖房往き接続口４１は、貯湯タンク２内の温水を取り出すためのものである。この第１暖房往き接続口４１は、貯湯タンク２の上下方向の略中央部に設けられて、ヒータ６近傍かつ上方に位置している。これにより、上記ヒータ６で加熱された直後の温水を、第１暖房往き接続口４１から取り出し、複数のラジエタ８に送ることができる。なお、図２に示すように、第１暖房往き接続口４１から取り出された温水は配管４１ａを介して貯湯タンク２の上面から流出するように構成されている。
【００４８】
上記第２暖房往き接続口４２も、上記第１暖房往き接続口４１と同様に、貯湯タンク２内の温水を取り出すためのものである。この第２暖房往き接続口４２は貯湯タンク２の上部に設けられている。これにより、上記貯湯タンク２内の上部領域の温水を、第２暖房往き接続口４２から取り出し、複数のラジエタ８へ送ることができる。また、上記第２暖房往き接続口４２は沸き上げ戻り接続口を兼用している。
【００４９】
上記各ラジエタ８は、貯湯タンク２から流れてきた温水の熱を直接取り出し、室内に放出する。そして、上記温水は、低温となり、各ラジエタ８を出て、暖房戻り接続口４３へ向かって流れる。
【００５０】
上記暖房戻り接続口４３は貯湯タンク２の下部に設けられている。これにより、上記暖房戻り接続口４３から出た温水を、貯湯タンク２内の下部領域の温水と混ぜることができる。
【００５１】
また、上記暖房用循環回路４には、バイパス配管４４、暖房用混合弁４５、第１，第２温度センサ４６，４７、暖房用循環ポンプ４８および暖房用三方弁４９が設けられている。
【００５２】
上記バイパス配管４４は、ラジエタ８から暖房戻り接続口４３へ流れる温水の一部を暖房用混合弁４５へ案内する。
【００５３】
上記暖房用混合弁４５は、貯湯タンク２からの温水が流入する入口と、バイパス配管４４からの温水が流入する入口とを有している。詳しくは後述するが、上記暖房用混合弁４５の各入口の開度は制御部７によって調節される。
【００５４】
上記第１温度センサ４６は、貯湯タンク２からラジエタ８へ向かう温水の温度を検出し、この温度を示す信号を制御部７に送る。
【００５５】
上記第２温度センサ４７は、ラジエタ８から貯湯タンク２へ向かう温水の温度を検出し、この温度を示す信号を制御部７に送る。
【００５６】
上記制御部７は、外気温度センサ１８から、外気温度を示す信号を受けると共に、室内温度センサ（図示せず）から、室内温度を示す信号を受ける。そして、上記制御部７は、外気温度センサ１８および第１，第２温度センサ４６，４７からの信号に基づき、暖房用混合弁４５の２つの入口の夫々の開度を調節したり、暖房用循環ポンプ４８の回転数を調節したりする。例えば、外気温度が高い時は、暖房用混合弁４５を調節してバイパス配管４４からの温水流入量を増加させることで往き温度を下げたり、暖房用循環ポンプ４８の回転数を下げて循環する温水の流速を下げることで戻り温度を下げる。一方、外気温度が低い時は、暖房用混合弁４５を調節してバイパス配管４４からの温水流入量を減少させることで往き温度を上げたり、暖房用循環ポンプ４８の回転数を上げて循環する温水の流速を上げることで戻り温度を上げる。
【００５７】
上記暖房用循環ポンプ４８は、第２暖房往き接続口４２または第１暖房往き接続口４１を介して貯湯タンク２内の温水を吸い込み、複数のラジエタ８に向けて吐出する。
【００５８】
上記暖房用三方弁４９は、貯湯タンク２内の温水の高温領域が第１暖房往き接続口４１近傍に存在している場合、第１暖房往き接続口４１から温水を取り出す。また、上記暖房用三方弁４９は、貯湯タンク２内の温水の高温領域が第１暖房往き接続口４１近傍に存在していない場合、第２暖房往き接続口４２から温水を取り出す。この暖房用三方弁４９の切り替えは制御部７によって行われる。つまり、上記制御部７は、貯湯タンク２内の各部の温水の温度を検出するための複数の温度センサからの信号に基づいて、暖房用三方弁４９の切り替えを行う。
【００５９】
上記構成の暖房給湯装置が暖房運転を開始すると、暖房用循環ポンプ４８が稼働する。これにより、上記貯湯タンク２に貯えた温水が複数のラジエタ８に送られ、再び、貯湯タンク２に戻る。このとき、上記温水の熱はラジエタ８を介して室内に放出される。すなわち、上記各ラジエタ８は、貯湯タンク２内の温水の熱を直接取り出し、室内に放出する。
【００６０】
したがって、上記貯湯タンク２内の温水の熱をラジエタ８に効率良く供給できるので、例えば北欧等の暖房負荷の高い地域でも十分な暖房を行うことができる。
【００６１】
また、上記給湯用熱交換器３は貯湯タンク２内の下部領域から上部領域に渡って配置されていて、給湯水が貯湯タンク２の下部に入って貯湯タンク２の上部から出るので、給湯水は給湯用熱交換器３内を流れる間に貯湯タンク２内の温水で十分に加熱される。したがって、上記給湯用熱交換器３から高温の給湯水を出湯できる。
【００６２】
また、上記ラジエタ８で比較的低温になった温水は暖房戻り接続口４３から貯湯タンク２内に戻るので、その比較的低温になった温水を貯湯タンク２内の下部領域に戻すことができる。したがって、上記貯湯タンク２内の上部領域の比較的高温の温水が、ラジエタ８で比較的低温になった温水と混ざって低温になるのを防ぐことできる。
【００６３】
また、上記貯湯タンク２の下部に供給口５３が設けられているので、その貯湯タンク２内の下部領域にある比較的低温の温水がヒートポンプユニット１の凝縮器１３に供給される。したがって、上記ヒートポンプユニット１のＣＯＰが向上する。
【００６４】
また、上記ヒートポンプユニット１の故障時には、ヒータ６で貯湯タンク２内の温水を直接加熱することによって、貯湯タンク２内の温水の温度を保ったり、上げたりすることができる。
【００６５】
また、上記ヒートポンプユニット１が温水に与える熱量が不足している時にも、その不足分の熱量をヒータ６で補うことができる。
【００６６】
また、上記ヒータ６は貯湯タンク２内の上下方向の略中央部に配置されているので、
主として、ヒータ６よりも上方にある温水を加熱することになる。このとき、上記貯湯タンク２内の上部領域の温水は、元々、貯湯タンク２内の下部領域の温水に比べて高温だから、ヒータ６の加熱によって短時間でさらに高温となる。
【００６７】
したがって、暖房負荷が瞬間的に増大しても、上記貯湯タンク２内の上部領域でさらに高温となった温水をラジエタ８に即座に送ることができる。
【００６８】
また、暖房運転時、暖房負荷が瞬間的に増大すると、貯湯タンク２内の温水をヒータ６で高温にし、この高温の温水を暖房用循環回路４の第１暖房往き接続口４１から取り出してラジエタ８に送る。このとき、上記第１暖房往き接続口４１は、貯湯タンク２の上下方向の略中央部に設けられて、ヒータ６近傍かつ上方に位置しているので、ヒータ６で加熱した直後の温水を取り出してラジエタ８に送ることができる。
【００６９】
したがって、暖房負荷が瞬間的に増大しても、暖房負荷の瞬間的な増大に迅速かつ確実に対応することができる。
【００７０】
また、上記ヒートポンプユニット１は、冷媒としてＣＯ２冷媒を使用するので、高温出湯できる。
【００７１】
また、上記ヒートポンプユニット１に供給する温水の温度は、ＣＯＰを向上させる観点上、低い方が好ましい。
【００７２】
上記実施の形態では、ヒートポンプユニット１はＣＯ２冷媒を使用したが、ＮＨ３冷媒やＲ２２冷媒などを使用してもよい。また、暖房端末としてラジエタを使用したが、これに代えて、あるいはこれと併用して、床暖房パネルやファンコイルなどを使用してもよい。
【００７３】
上記実施の形態では、過冷却熱交換器１４を有するヒートポンプユニット１を用いていたが、過冷却熱交換器１４を有さないヒートポンプユニットを用いてもよい。
【図面の簡単な説明】
【００７４】
【図１】図１は本発明の一実施の形態の暖房給湯装置の模式図である。
【図２】図２は貯湯タンクおよびその近傍の詳細を示す断面図である。
【符号の説明】
【００７５】
１  ヒートポンプユニット
２  貯湯タンク
３  給湯用熱交換器
４  暖房用循環回路
８  ラジエタ
４１  第１取水口
４２  第２取水口
４３  戻し口
５３  供給口
【図１】
0004502020.tif 000002
【図２】
0004502020.tif 000003